(57)【要約】【目的】異なる観察者に異なる映像を観察させることにおいて隠れるべき映像が見えてしまう事態を極力防止できる映像表示装置を提供する。【構成】映像表示パネル１１には縦ストライプ状の４つの映像１ａ、１ｂ、１ｃ、１ｄを水平方向に画素毎に順繰りに表示する。映像分離板１２は４つの異なる映像を４つの異なる位置から観察できるように映像分離する。観察者Ａは観察領域１１ｄで映像１ｄを観察し、観察者Ｂは観察領域１１ｂで映像１ｂを観察する。観察者Ａに対するクロストーク映像は映像１ａと映像１ｃであって観察者Ｂが観察している映像１ｂは観察者Ａには見えない。観察者Ｂに対するクロストーク映像も映像１ａと映像１ｃであって観察者Ａが観察している映像１ｄは観察者Ｂには見えないことになる。【選択図】　　　　　　　　図１
2004140700.tif 000002
【特許請求の範囲】
【請求項１】
空間的に複数の異なる映像が所定の配置で表示される映像表示手段と、前記所定の配置で表示される映像を分離して観察領域を空間上で分離する映像分離手段とから成る映像表示装置であって、第１の映像が導かれる第１の観察領域と第２の映像が導かれる第２の観察領域との間に、前記第１の映像及び第２の映像と異なる映像が導かれる観察領域が形成されるように構成されたことを特徴とする映像表示装置。
【請求項２】
請求項１に記載の映像表示装置において、前記映像表示手段は複数の異なる映像をストライプ状に表示し、前記映像分離手段はストライプ状の映像を分離して観察領域を空間上で分離するように構成されたことを特徴とする映像表示装置。
【請求項３】
請求項１に記載の映像表示装置において、前記映像表示手段は複数の異なる映像を斜め配置に表示し、前記映像分離手段は斜め配置の映像を分離して観察領域を空間上で分離するように構成されたことを特徴とする映像表示装置。
【請求項４】
空間的に複数の異なる映像を所定の配置で表示し、前記所定の配置で表示される映像を分離して観察領域を空間上で分離する映像表示方法であって、第１の映像を導く第１の観察領域と第２の映像を導く第２の観察領域との間に、前記第１の映像及び第２の映像と異なる映像を導いて観察領域を形成することを特徴とする映像表示方法。
【発明の詳細な説明】
【０００１】
【産業上の利用分野】
この発明は、映像表示方法及び映像表示装置に関する。
【０００２】
【従来の技術】
映像表示手段と映像分離手段から成る映像表示装置であって、前記映像表示手段に複数の異なる映像を所定の手順により合成したものを表示し、前記映像分離手段により、異なる位置から異なる映像を観察させることができる装置が知られている（特許文献１参照）。特許文献１では、レンチキュラレンズを用いているが、パララックスバリアなどの遮光板を用いても同様のことが実現できる。
【０００３】
【特許文献１】
特開平９−４６６２２号
【０００４】
【発明が解決しようとする課題】
異なる観察者に異なる映像を観察させる場合には、見せるべき映像以外の映像が全く見えないことが望ましい。しかしながら、従来の手法では、幾何学的に漏れ光がない設計であっても、実際には光の回折現象により隠れるべき映像が見えてしまうことになる。また、映像表示手段或いは映像分離手段の表面で起こる多重反射により、隠れるべき映像が見えることもある。表面反射は通常１０％程度であり、表面に反射防止膜を形成しても１％程度の反射が残るため、多重反射を完全に除去することはできない。また、映像表示手段あるいは映像分離手段の表面や内部構造によっては、光の拡散が起こり、隠れるべき映像が見えることもある。これらは一般的にクロストークと呼ばれるものである。
【０００５】
この発明は、上記の事情に鑑み、異なる観察者に異なる映像を観察させることにおいて隠れるべき映像が見えてしまう事態を極力防止できる映像表示方法及び映像表示装置を提供することを目的とする。
【０００６】
【課題を解決するための手段】
この発明の映像表示装置は、上記の課題を解決するために、空間的に複数の異なる映像が所定の配置で表示される映像表示手段と、前記所定の配置で表示される映像を分離して観察領域を空間上で分離する映像分離手段とから成る映像表示装置であって、第１の映像が導かれる第１の観察領域と第２の映像が導かれる第２の観察領域との間に、前記第１の映像及び第２の映像と異なる映像が導かれる観察領域が形成されるように構成されたことを特徴とする。
【０００７】
上記の構成であれば、ある観察者の観察位置（例えば第１の映像）と、その観察者からは観察できない映像（例えば第２の映像）の観察領域との間に別の映像の観察領域が形成されることになり、両観察者の映像観察領域が隣り合わないため、隠れるべき映像が見えてしまう事態が防止される。
【０００８】
前記映像表示手段は複数の異なる映像をストライプ状に表示し、前記映像分離手段はストライプ状の映像を分離して観察領域を空間上で分離するように構成されていてもよい。
【０００９】
また、前記映像表示手段は複数の異なる映像を斜め配置に表示し、前記映像分離手段は斜め配置の映像を分離して観察領域を空間上で分離するように構成されていてもよい。ここで、いわゆる斜めバリア方式の場合で二つの映像を二つの観察領域に導くとすると、一方の映像の観察領域の上下左右に他方の映像の観察領域が隣接するのに対し、かかる発明であれば、一方の映像の観察領域の斜めに他方の映像の観察領域が接するだけであり、クロストークの減少効果が大きい。
【００１０】
また、この発明の映像表示方法は、空間的に複数の異なる映像を所定の配置で表示し、前記所定の配置で表示される映像を分離して観察領域を空間上で分離する映像表示方法であって、第１の映像を導く第１の観察領域と第２の映像を導く第２の観察領域との間に、前記第１の映像及び第２の映像と異なる映像を導いて観察領域を形成することを特徴とする。
【００１１】
【発明の実施の形態】
（実施形態１）
以下、この発明の第１の実施形態の映像表示装置１０を図１乃至図３に基づいて説明していく。
【００１２】
映像表示装置１０は、映像表示パネル１１及び映像分離板１２を備えて成る。前記映像表示パネル１１としては液晶パネルを用いることができる。映像分離板１２は、ガラス基板１２ａ上に縦ストライプ状の開口部１２ｃが所定間隔で並ぶように遮光部（ハッチングで示している）１２ｂを多数形成したものであり、立体映像表示装置で用いられるパララックスバリアと同様のものである。この実施形態では、映像分離板１２は、４つの異なる映像を４つの異なる位置から観察できるように設計されている。そして、映像表示パネル１１には、図２にも示しているように、各々縦ストライプ状に並ぶ４つの映像１ａ、１ｂ、１ｃ、１ｄを水平方向に一画素毎に順繰りに表示する。これらの映像は映像分離板１２によって分離され、各々の観察領域が空間上で分離する。実際には、図３にも示しているように、４つの映像観察領域（１１ａ、１１ｂ、１１ｃ、１１ｄ）が同じ面内で繰り返して現れることになる。
【００１３】
図１及び図３に示した映像観察領域（１１ａ、１１ｂ、１１ｃ、１１ｄ）は実在するものではなく、対応する画素が見える領域として図示しているのである。これらの図において、観察領域１１ａでは映像１ａが観察され、その隣の観察領域１１ｂでは映像１ｂが観察され、更に隣の観察領域１１ｃでは映像１ｃが観察され、更に隣の観察領域１１ｄでは映像１ｄが観察される。そして更に隣では映像１ａが観察され、これが繰り返される。
【００１４】
このような表示態様においては、映像表示パネル１１上で隣り合う画素がクロストークとして見え易いことになるので、映像１ａの観察領域１１ａからは、映像１ｄと映像１ｂがクロストーク映像として見え易くなる。同じように、映像１ｂの観察領域１１ｂからは、映像１ａと映像１ｃがクロストーク映像として見え易く、映像１ｃの観察領域１１ｃからは、映像１ｂと映像１ｄがクロストーク映像として見え易い。映像１ｄの観察領域１１ｄからは、映像１ｃと映像１ａがクロストーク映像として見え易い。
【００１５】
そして、隣り合わない映像の組み合わせは、映像１ａと映像１ｃとによる第１の組と、映像１ｂと映像１ｄとによる第２の組となり、第１の組と第２の組との間では、映像表示パネル１１上での表示画素が隣接していないため、クロストークが発生しにくい。
【００１６】
すなわち、図１に示した観察形態では、観察者Ａは観察領域１１ｄで映像を観察すると共に観察者Ｂは観察領域１１ｂで映像を観察しており、観察者Ａに対するクロストーク映像は映像１ａと映像１ｃであって観察者Ｂが観察している映像１ｂは観察者Ａには見えない。また、観察者Ｂに対するクロストーク映像も映像１ａと映像１ｃであって観察者Ａが観察している映像１ｄは観察者Ｂには見えない。別言すれば、クロストークそのものの発生は防止できないのであるが、観察者Ａにおいては観察者Ｂの観察映像が視野に入ることはなく、同様に、観察者Ｂにおいては観察者Ａの観察映像が視野に入ることはなくなり、相手の映像が見えてしまうという意味でのクロストークは防止されることになる。
【００１７】
（実施形態２）
この発明の第２の実施形態の映像表示装置２０を図４及び図５に基づいて説明する。映像分離板２２は、図４に示すように、四角形状の開口部２２ａが斜めに並ぶように遮光部２２ｂを形成したものである。この実施形態では、４つの異なる映像を４つの異なる位置から観察できるように映像分離板２２を設計している。映像表示パネル２１には４つの映像１ａ、１ｂ、１ｃ、１ｄを水平方向に一画素毎に順に表示すると共に、次行においては映像を一画素分ずらして表示しており、一つの映像についてみると、各映像は斜めに並ぶようになっている。これらの映像は、映像分離板２２により分離され、図５に示すように、各々の観察領域が空間上で分離する。
【００１８】
かかる映像表示装置２０においては、映像１ａに対する映像１ｄと映像１ｂのように、隣り合う視点から観察される映像の画素は映像表示パネル１１上で上下左右に隣接する。その一方、映像１ａに対する映像１ｃのように、隣り合わない視点から観察される映像の画素は斜め方向に位置するため、クロストークはほとんど発生しないことになる。
【００１９】
なお、映像分離板を映像表示パネルの映像光出射側に配置した例を示したが、これに限るものではなく、映像分離部を光源側に配置してもよいものである。また、映像分離板としては遮光部と開口部とから成るものを示したが、これに限るものではなく、レンズの効果により映像を分離することができる例えばレンチキュラレンズなど、映像を分離可能なものであればよい。また、映像の数も４つに限るものではない。
【００２０】
【発明の効果】
以上説明したように、この発明によれば、異なる観察者に異なる映像を観察させることにおいて隠れるべき映像が見えてしまう事態を極力防止できるという効果を奏する。
【図面の簡単な説明】
【図１】この発明の第１の実施形態の映像表示装置を示した説明図である。
【図２】第１の実施形態の映像表示装置の概略を示した斜視図である。
【図３】第１の実施形態の映像表示装置の映像並びと映像分離板との関係を示した説明図である。
【図４】第２の実施形態の映像表示装置の概略を示した斜視図である。
【図５】第２の実施形態の映像表示装置の映像並びと映像分離板との関係を示した説明図である。
【符号の説明】
１１　　映像表示パネル
１２　　映像分離板
１２ａ　ガラス基板
１２ｂ　遮光部
１２ｃ　開口部
１３　　映像分離板
１３ａ　ガラス基板
１３ｂ　遮光部
１３ｃ　開口部
【図１】
2004140700.tif 000003
【図２】
2004140700.tif 000004
【図３】
2004140700.tif 000005
【図４】
2004140700.tif 000006
【図５】
2004140700.tif 000007